(57)【特許請求の範囲】
【請求項１】
光源が搭載された基板と、
それぞれが受光面を有し、前記光源から前記受光面に入射した光を伝える、可撓性の複数の導光管と、
孔が設けられ、前記孔に嵌め込まれた前記複数の導光管の前記受光面と前記光源とが向かい合うように前記基板を保持するホルダと、
を具備する電子機器。
【請求項２】
前記ホルダは、前記受光面に当接し、前記受光面が前記光源に近付くことを制限するストッパを有する、請求項１の電子機器。
【請求項３】
前記複数の導光管が収容される溝が設けられ、前記複数の導光管から出射した光を拡散する拡散部材、
をさらに具備し、
前記複数の導光管はそれぞれ、前記溝の内部で円弧状に曲げられた曲部を有し、前記曲部の復元力により前記受光面を前記ストッパに押し付け、
前記曲部の内周側及び外周側の端が、前記拡散部材から少なくとも部分的に離間する、
請求項２の電子機器。
【請求項４】
前記ホルダは、前記複数の導光管を囲む壁と、前記壁に設けられるとともに前記受光面と直交する第１の方向に前記光源に近づくに従って狭まるガイド面と、を有し、前記壁により前記拡散部材に取り付けられる、請求項３の電子機器。
【請求項５】
前記ホルダは、前記孔の少なくとも一部を形成する内面を有し、
前記内面は、前記第１の方向に前記光源に近づくに従って狭まる、
請求項４の電子機器。
【請求項６】
前記内面は、前記孔の一部を形成する第１の傾斜面と、前記孔の他の一部を形成し、前記第１の傾斜面と前記第１の方向に並び、前記第１の傾斜面よりも前記光源に近い、第２の傾斜面と、を有し、
前記孔の中心軸に対する前記第１の傾斜面の傾斜角度は、前記孔の前記中心軸に対する前記第２の傾斜面の傾斜角度よりも大きい、
請求項５の電子機器。
【請求項７】
前記第１の方向と直交する第２の方向において、前記ガイド面の幅は、前記内面の幅よりも大きい、請求項６の電子機器。
【請求項８】
前記孔の前記中心軸に対する前記ガイド面の傾斜角度は、前記孔の前記中心軸に対する前記第１の傾斜面の傾斜角度よりも小さい、請求項７の電子機器。
【請求項９】
前記ホルダは、第１の係合部と、第２の係合部と、を有し、
前記基板は、前記第１の係合部に係合可能な第３の係合部と、前記第２の係合部に係合可能であるとともに前記第１の係合部に係合可能でない第４の係合部と、を有する、
請求項１乃至請求項８のいずれか一つの電子機器。
【請求項１０】
前記基板、前記複数の導光管、及び前記ホルダを収容する筐体、
をさらに具備し、
前記筐体は、前記第１の係合部に係合可能な第５の係合部と、前記第２の係合部に係合可能であるとともに前記第１の係合部に係合可能でない第６の係合部と、を有する、
請求項９の電子機器。
【請求項１１】
可撓性の複数の導光管が挿入される孔が設けられた、挿入部と、
光源と前記複数の導光管の受光面とが向かい合うように、前記光源が搭載された基板を保持する、保持部と、
を有するホルダ。
【発明の詳細な説明】
【技術分野】
【０００１】
本発明の実施形態は、電子機器及びホルダに関する。
【背景技術】
【０００２】
従来、光源から出射された光を所望の部分へ伝える導光部材を備える電子機器が知られている。導光部材として、例えば、剛体である部品や、可撓性の導光パイプが知られている。
【先行技術文献】
【特許文献】
【０００３】
【特許文献１】特開２００９−３２６９５号公報
【発明の概要】
【発明が解決しようとする課題】
【０００４】
電子機器が複数の導光パイプを備える場合、複数の導光パイプのそれぞれの受光面と光源との間の距離及び姿勢が均一にされることで、複数の導光パイプに入射する光が均一となり得る。しかし、導光パイプは可撓性であるため、光源に対する複数の導光パイプの位置及び姿勢を均一に設定することが難しいことがある。
【０００５】
本発明が解決する課題の一例は、光源に対する可撓性の複数の導光管の位置決めが容易な電子機器及びホルダを提供することである。
【課題を解決するための手段】
【０００６】
本発明の第１態様に係る電子機器は、光源が搭載された基板と、それぞれが受光面を有し、前記光源から前記受光面に入射した光を伝える、可撓性の複数の導光管と、孔が設けられ、前記孔に嵌め込まれた前記複数の導光管の前記受光面と前記光源とが向かい合うように前記基板を保持するホルダと、を備える。
【０００７】
前記電子機器では、前記ホルダは、前記受光面に当接し、前記受光面が前記光源に近付くことを制限するストッパを有する。
【０００８】
前記電子機器は、前記複数の導光管が収容される溝が設けられ、前記複数の導光管から出射した光を拡散する拡散部材、をさらに備え、前記複数の導光管はそれぞれ、前記溝の内部で円弧状に曲げられた曲部を有し、前記曲部の復元力により前記受光面を前記ストッパに押し付け、前記曲部の内周側及び外周側の端が、前記拡散部材から少なくとも部分的に離間する。
【０００９】
前記電子機器では、前記ホルダは、前記複数の導光管を囲む壁と、前記壁に設けられるとともに前記受光面と直交する第１の方向に前記光源に近づくに従って狭まるガイド面と、を有し、前記壁により前記拡散部材に取り付けられる。
【００１０】
前記電子機器では、前記ホルダは、前記孔の少なくとも一部を形成する内面を有し、前記内面は、前記第１の方向に前記光源に近づくに従って狭まる。
【００１１】
前記電子機器では、前記内面は、前記孔の一部を形成する第１の傾斜面と、前記孔の他の一部を形成し、前記第１の傾斜面と前記第１の方向に並び、前記第１の内面よりも前記光源に近い、第２の傾斜面と、を有し、前記孔の中心軸に対する前記第１の傾斜面の傾斜角度は、前記孔の前記中心軸に対する前記第２の傾斜面の傾斜角度よりも大きい。
【００１２】
前記電子機器では、前記第１の方向と直交する第２の方向において、前記ガイド面の幅は、前記内面の幅よりも大きい。
【００１３】
前記電子機器では、前記孔の前記中心軸に対する前記ガイド面の傾斜角度は、前記孔の前記中心軸に対する前記第１の傾斜面の傾斜角度よりも小さい。
【００１４】
前記電子機器では、前記ホルダは、第１の係合部と、第２の係合部と、を有し、前記基板は、前記第１の係合部に係合可能な第３の係合部と、前記第２の係合部に係合可能であるとともに前記第１の係合部に係合可能でない第４の係合部と、を有する。
【００１５】
前記電子機器は、前記基板、前記複数の導光管、及び前記ホルダを収容する筐体、をさらに備え、前記筐体は、前記第１の係合部に係合可能な第５の係合部と、前記第２の係合部に係合可能であるとともに前記第１の係合部に係合可能でない第６の係合部と、を有する。
【００１６】
本発明の第２態様に係るホルダは、可撓性の複数の導光管が挿入される孔が設けられた、挿入部と、光源と前記複数の導光管の受光面とが向かい合うように、前記光源が搭載された基板を保持する、保持部とを有する。
【発明の効果】
【００１７】
本発明の上記態様によれば、光源に対する可撓性の複数の導光管の位置決めが容易な電子機器及びホルダを得ることが可能となる。
【図面の簡単な説明】
【００１８】
【図１】図１は、一つの実施形態に係るパーソナルコンピュータ（ＰＣ）を示す正面図である。
【図２】図２は、本実施形態のＰＣの一部を分解して示す斜視図である。
【図３】図３は、本実施形態のＰＣの一部を分解して、図２と異なる方向から示す斜視図である。
【図４】図４は、本実施形態のＰＣの一部を示す断面図である。
【図５】図５は、本実施形態の拡散部材の一部及び二つの導光パイプの一部を示す斜視図である。
【図６】図６は、本実施形態の拡散部材及び導光パイプの一部と、基板と、ホルダとを示す断面図である。
【図７】図７は、本実施形態の基板及びホルダを分解して示す斜視図である。
【図８】図８は、本実施形態の基板及びホルダを分解して、図７とは異なる方向から示す斜視図である。
【図９】図９は、本実施形態のフロントカバーの一部を示す斜視図である。
【図１０】図１０は、本実施形態のフロントカバーの他の一部を示す斜視図である。
【発明を実施するための形態】
【００１９】
以下に、一つの実施形態について、図１乃至図１０を参照して説明する。なお、本明細書において、実施形態に係る構成要素及び当該要素の説明が、複数の表現で記載されることがある。構成要素及びその説明は、一例であり、本明細書の表現によって限定されない。構成要素は、本明細書におけるものとは異なる名称でも特定され得る。また、構成要素は、本明細書の表現とは異なる表現によっても説明され得る。
【００２０】
図１は、一つの実施形態に係るパーソナルコンピュータ（ＰＣ）１０を示す正面図である。ＰＣ１０は、電子機器の一例である。なお、電子機器は、ＰＣ１０に限らず、スマートフォン、携帯電話、タブレット端末、携帯情報端末（ＰＤＡ）、ゲーム機、ウェアラブル機器、又は他の電子機器であっても良い。
【００２１】
図１に示すように、ＰＣ１０は、デスクトップコンピュータである。なお、ＰＣ１０は、ポータブルコンピュータであっても良い。ＰＣ１０は、筐体１１を有する。筐体１１は、例えば、中央演算処理装置（ＣＰＵ）と、ランダムアクセスメモリ（ＲＡＭ）と、マザーボード（Ｍ／Ｂ）及びドーターボードのような種々の回路基板と、ハードディスクドライブ（ＨＤＤ）又はソリッドステートドライブ（ＳＳＤ）のような記録装置と、電源ユニットと、のような種々の部品を収容する。
【００２２】
筐体１１は、フロントカバー１５を有する。フロントカバー１５は、筐体１１の内部を覆う。フロントカバー１５は、例えば、合成樹脂又は金属により作られる。フロントカバー１５は、有色であり、光を透過し難い。
【００２３】
図２は、本実施形態のＰＣ１０の一部を分解して示す斜視図である。図３は、本実施形態のＰＣ１０の一部を分解して、図２と異なる方向から示す斜視図である。フロントカバー１５は、図２に示す外面１５ａと、図３に示す内面１５ｂとを有する。外面１５ａは、筐体１１の外部に向く。内面１５ｂは、外面１５ａの反対側に位置し、筐体１１の内部に向く。
【００２４】
図２に示すように、フロントカバー１５の外面１５ａに、取付溝１６が設けられる。取付溝１６は、外面１５ａに開口するとともに、略四角形の枠状に形成される。なお、取付溝１６の形状は、この例に限られない。
【００２５】
図４は、本実施形態のＰＣ１０の一部を示す断面図である。図４に示すように、取付溝１６の底面１６ａに、二つの挿通孔１８が設けられる。なお、図４は、二つの挿通孔１８のうち一方を示す。挿通孔１８は、取付溝１６の底面１６ａと、フロントカバー１５の内面１５ｂとを連通する。このため、取付溝１６は、挿通孔１８を通じて内面１５ｂにも部分的に開口する。
【００２６】
図３に示すように、ＰＣ１０は、拡散部材２１と、二つの導光パイプ２２と、二つの基板２３と、二つのホルダ２４とをさらに有する。拡散部材２１の少なくとも一部と、導光パイプ２２と、基板２３と、ホルダ２４とは、筐体１１に収容されている。
【００２７】
導光パイプ２２は、導光管の一例であり、ライトパイプ、光チューブとも称され得る。導光パイプ２２の数は、二つに限らず、三つ以上であっても良い。また、基板２３及びホルダ２４の数も、二つに限らず、一つ又は三つ以上であっても良い。
【００２８】
拡散部材２１は、例えば、ポリカーボネートのような合成樹脂により作られる。拡散部材２１は、例えば、光を透過可能な乳白色の部品であり、入射した光を拡散して出射する。拡散部材２１は、略四角形の枠状に形成され、二つの第１の辺部２１ａと、二つの第２の辺部２１ｂとを有する。
【００２９】
二つの第１の辺部２１ａは、互いに略平行に延びる。一方の第２の辺部２１ｂは、二つの第１の辺部２１ａの一方の端部に接続される。他方の第２の辺部２１ｂは、二つの第１の辺部２１ａの他方の端部に接続される。二つの第２の辺部２１ｂは、互いに略平行に延びる。略四角形の枠状の拡散部材２１において、第１の辺部２１ａは短辺を形成し、第２の辺部２１ｂは長辺を形成する。
【００３０】
各図面に示されるように、本明細書において、便宜上、Ｘ軸、Ｙ軸及びＺ軸が定義される。Ｘ軸とＹ軸とＺ軸とは、互いに直交する。Ｘ軸は、第１の辺部２１ａと平行に設けられる。Ｙ軸は、第２の辺部２１ｂと平行に設けられる。
【００３１】
さらに、本明細書において、Ｘ方向、Ｙ方向及びＺ方向が定義される。Ｘ方向は、Ｘ軸に沿う方向であって、Ｘ軸の矢印が示す＋Ｘ方向と、Ｘ軸の矢印の反対方向である−Ｘ方向とを含む。Ｙ方向は、Ｙ軸に沿う方向であって、Ｙ軸の矢印が示す＋Ｙ方向と、Ｙ軸の矢印の反対方向である−Ｙ方向とを含む。Ｚ方向は、Ｚ軸に沿う方向であって、Ｚ軸の矢印が示す＋Ｚ方向と、Ｚ軸の矢印の反対方向である−Ｚ方向とを含む。
【００３２】
拡散部材２１は、取付溝１６に対応した形状を有し、取付溝１６に筐体１１の外側から嵌め込まれる。例えば、拡散部材２１に設けられた爪がフロントカバー１５に設けられた溝にスナップフィットで係合する。これにより、拡散部材２１がフロントカバー１５に取り付けられる。
【００３３】
図５は、本実施形態の拡散部材２１の一部及び二つの導光パイプ２２の一部を示す斜視図である。拡散部材２１は、図２の外壁３１と、図５の二つの側壁３２、四つの突出壁３３、及び二つの中間壁３４とを有する。なお、図５は、四つの突出壁３３のうち二つと、二つの中間壁３４のうち一つとを示す。外壁３１、側壁３２、突出壁３３、及び中間壁３４は、例えば一体に形成される。
【００３４】
図２に示すように、外壁３１は、略四角形の枠状に延びている。外壁３１は、外面３１ａを有する。外面３１ａは、−Ｚ方向に向くとともに筐体１１の外部に向き、フロントカバー１５の外面１５ａに略連続する。なお、外面３１ａは、この例に限られない。
【００３５】
二つの側壁３２は、外壁３１から筐体１１の内部に向かって突出するとともに、互いに離間している。一方の側壁３２は、枠状の外壁３１の内周の縁から突出する。他方の側壁３２は、枠状の外壁３１の外周の縁から突出する。
【００３６】
図５に示すように、突出壁３３は、第１の辺部２１ａに設けられる。突出壁３３は、側壁３２の先端３２ａから＋Ｚ方向に突出する。先端３２ａは、外壁３１の反対側に位置する側壁３２の端部である。また、先端３２ａは、＋Ｚ方向における外壁３１の端部である。
【００３７】
突出壁３３は、当該突出壁３３が突出する側壁３２と平行に延びるとともに当該側壁３２に連続する。例えば、第１の辺部２１ａにおいて、側壁３２及び突出壁３３は、Ｘ−Ｚ平面上に広がる。
【００３８】
例えば、二つの突出壁３３が一方の側壁３２から突出するとともに、他の二つの突出壁３３が他方の側壁３２から突出する。一方の側壁３２から突出した一つの突出壁３３と、他方の側壁３２から突出した一つの突出壁３３とは、間隔を介して並べられる。
【００３９】
例えば、一対の突出壁３３が、一方の第１の辺部２１ａに設けられ、間隔を介してＹ方向に並べられる。他の一対の突出壁３３は、他方の第１の辺部２１ａに設けられ、間隔を介してＹ方向に並べられる。なお、突出壁３３の配置はこの例に限られない。
【００４０】
突出壁３３はそれぞれ、二つの側縁３３ａと、二つの曲縁３３ｂと、二つの突起３３ｃと、端縁３３ｄとを有する。側縁３３ａは、Ｘ方向に向く突出壁３３の縁であり、Ｚ方向に延びている。曲縁３３ｂは、−Ｚ方向における側縁３３ａの端と側壁３２の先端３２ａとの間で略円弧状に延びている。突起３３ｃは、＋Ｚ方向における側縁３３ａの端部からＸ方向に突出する。端縁３３ｄは、＋Ｚ方向における突出壁３３の端に設けられ、略Ｘ方向に延びている。
【００４１】
上述の外壁３１、二つの側壁３２、及び四つの突出壁３３を有することで、拡散部材２１は、略Ｕ字状の断面を有する。このため、拡散部材２１の内側に、収容溝３５が設けられる。収容溝３５は、溝の一例である。
【００４２】
収容溝３５は、二つの側壁３２の間と、一対の突出壁３３の間と、に形成される空間である。収容溝３５は、筐体１１の内側に向かって開口する。収容溝３５は、外壁３１に沿って、略四角形の枠状に形成される。図４に示すように、二つの側壁３２の間に形成される収容溝３５の一部は、取付溝１６の底面１６ａにより少なくとも部分的に塞がれる。
【００４３】
中間壁３４は、外壁３１から筐体１１の内部に向かって＋Ｚ方向に突出する。中間壁３４は、例えば、第１の辺部２１ａに設けられ、二つの側壁３２に接続されるとともに、当該二つの側壁３２から突出する一対の突出壁３３に接続される。二つの中間壁３４は、収容溝３５を二つに区切る。
【００４４】
外壁３１と、中間壁３４とは、収容溝３５の底面３５ａを形成する。底面３５ａは、第１の底面３５ａａと、第２の底面３５ａｂと、第３の底面３５ａｃとを有する。第１の底面３５ａａは、外壁３１により形成され、＋Ｚ方向に向く。第２の底面３５ａｂは、中間壁３４により形成され、Ｘ方向に向く。第３の底面３５ａｃは、第１の底面３５ａａと第２の底面３５ａｂとの間で略円弧状に延びる曲面である。
【００４５】
突出壁３３及び中間壁３４は、挿通孔１８を通って取付溝１６から筐体１１の内部へ突出する。言い換えると、突出壁３３及び中間壁３４の一部は、筐体１１の内部に位置する。
【００４６】
二つの導光パイプ２２は、例えば、略透明で光を透過可能な、可撓性の略円柱状の棒である。なお、導光パイプ２２は、この例に限られず、例えば、略角柱状に形成されても良い。また、導光パイプ２２は、光を透過可能であれば、半透明であっても良い。
【００４７】
図５に示すように、二つの導光パイプ２２はそれぞれ、略平坦な二つの端面２２ａと、外周面２２ｂとを有する。なお、図５は、二つの端面２２ａのうち一方を示す。端面２２ａは、受光面の一例である。
【００４８】
端面２２ａは、長手方向における導光パイプ２２の端に位置する。導光パイプ２２は、一方の端面２２ａに入射した光を他方の端面２２ａに伝えるとともに、他方の端面２２ａ及び外周面２２ｂから出射する。
【００４９】
導光パイプ２２は、例えば、合成樹脂によって作られる。例えば、導光パイプ２２の外周面２２ｂはフッ素樹脂によって作られ、導光パイプ２２の内部はエラストマーによって作られる。なお、導光パイプ２２の材料は、この例に限られない。
【００５０】
導光パイプ２２の少なくとも一部が、拡散部材２１の収容溝３５に収容される。例えば、一方の導光パイプ２２が、収容溝３５のうち中間壁３４により区切られた一方の部分に収容され、他方の導光パイプ２２が、収容溝３５のうち中間壁３４により区切られた他方の部分に収容される。
【００５１】
図４に示すように、二つの導光パイプ２２はそれぞれ、第１の延部４１と、第２の延部４２と、曲部４３と、をさらに有する。第１の延部４１は、収容溝３５の第１の底面３５ａａに沿って延びている。第２の延部４２は、収容溝３５の第２の底面３５ａｂに沿って、又は第２の底面３５ａｂと略平行に、略Ｚ方向に延びている。
【００５２】
二つの第２の延部４２は、当該二つの第２の延部４２の間に中間壁３４が配置されるように、Ｘ方向に並べられる。導光パイプ２２の端面２２ａは、第２の延部４２に設けられ、略＋Ｚ方向に向く。
【００５３】
曲部４３は、導光パイプ２２のうち第１の延部４１と第２の延部４２との間の部分である。曲部４３は、収容溝３５の内部で略円弧状に曲げられている。曲部４３の内周側の端４３ａと、曲部４３の外周側の端４３ｂとは、拡散部材２１から少なくとも部分的に離間している。
【００５４】
内周側の端４３ａは、円弧状に曲げられた曲部４３の曲率中心に最も近い曲部４３の端部である。外周側の端４３ｂは、曲部４３の曲率中心から最も遠い曲部４３の端部である。曲部４３の外周側の端４３ｂは、間隔を介して底面３５ａの第３の底面３５ａｃに向き、第３の底面３５ａｃから離間している。曲部４３の曲率半径は、第３の底面３５ａｃの曲率半径よりも大きい。
【００５５】
図６は、本実施形態の拡散部材２１及び導光パイプ２２の一部と、基板２３と、ホルダ２４とを示す断面図である。基板２３は、例えば、ガラスエポキシ基板のようなリジッドな基板である。なお、基板２３はこの例に限られない。
【００５６】
二つの基板２３はそれぞれ、第１の搭載面５１と、第２の搭載面５２と、外縁５３と、を有する。第１の搭載面５１及び第２の搭載面５２は、略平坦に形成され、互いに反対側に位置する。第１の搭載面５１は、−Ｚ方向に向くとともに、導光パイプ２２の端面２２ａに向く。第２の搭載面５２は、＋Ｚ方向に向く。
【００５７】
図７は、本実施形態の基板２３及びホルダ２４を分解して示す斜視図である。図８は、本実施形態の基板２３及びホルダ２４を分解して、図７とは異なる方向から示す斜視図である。図７に示すように、外縁５３は、第１の搭載面５１と第２の搭載面５２との間に位置する。
【００５８】
外縁５３に、四つの切欠き５３ａが設けられる。四つの切欠き５３ａのうち二つは、外縁５３のうち＋Ｙ方向に向く部分に設けられる。四つの切欠き５３ａのうち他の二つは、外縁５３のうち−Ｙ方向に向く部分に設けられる。
【００５９】
二つの切欠き５３ａの間に、凸部５３ｂが形成される。また、他の二つの切欠き５３ａの間に、凸部５３ｃが形成される。凸部５３ｃは、凸部５３ｂの反対側に位置する。一つの基板２３において、凸部５３ｂは第３の係合部の一例であり、凸部５３ｃは第４の係合部の一例である。
【００６０】
一つの基板２３において、凸部５３ｂを形成する二つの切欠き５３ａの形状及び／又は位置は、凸部５３ｃを形成する二つの切欠き５３ａの形状及び／又は位置と異なる。本実施形態では、凸部５３ｂを形成する二つの切欠き５３ａの間の距離が、凸部５３ｃを形成する二つの切欠き５３ａの間の距離よりも短い。
【００６１】
第１の搭載面５１に、二つの光源５５が搭載される。光源５５は、例えば、発光ダイオード（ＬＥＤ）である。なお、光源５５は、この例に限られず、他の光を発する要素であっても良い。
【００６２】
光源５５は、例えば、複数色のうち入力された電気信号に応じた色の光を出射することが可能である。なお、光源５５は、単色の光源であっても良い。二つの光源５５は、Ｘ方向に互いに隣接する。
【００６３】
図６に示すように、二つの光源５５は、二つの導光パイプ２２の端面２２ａに向く。すなわち、一方の光源５５は一方の導光パイプ２２の端面２２ａに向き、他方の光源５５は他方の導光パイプ２２の端面２２ａに向く。
【００６４】
第２の搭載面５２に、コネクタ５６が搭載される。図４に示すように、コネクタ５６に、ケーブル５７が接続される。ケーブル５７は、コネクタ５６と、基板２３に設けられた配線と、を介して光源５５に電気的に接続される。例えば、ＣＰＵがケーブル５７を介して光源５５に制御信号を入力し、電源装置がケーブル５７を介して光源５５に電力を供給する。
【００６５】
ホルダ２４は、例えば、合成樹脂又は金属により作られる。ホルダ２４は、有色であり、光を透過し難い。なお、ホルダ２４の材料及び色は、この例に限られない。図８に示すように、ホルダ２４は、挿入部６０と、第１の保持部６１と、第２の保持部６２とを有する。第１の保持部６１は、保持部の一例である。
【００６６】
挿入部６０、第１の保持部６１、及び第２の保持部６２は、例えば、一体に形成される。挿入部６０は、二つの筒部７１と、二つのストッパ７２と、フランジ７３と、二つの脚部７４とを有する。
【００６７】
二つの筒部７１はそれぞれ、Ｚ方向に延びる略円筒状に形成される。二つの筒部７１は、Ｘ方向に並べられ、互いに結合されている。図６に示すように、筒部７１はそれぞれ、第１の端面７１ａと、第２の端面７１ｂと、第１の内周面７１ｃと、第２の内周面７１ｄと、外周面７１ｅとを有する。第２の内周面７１ｄは、内面の一例である。
【００６８】
第１の端面７１ａは、＋Ｚ方向における筒部７１の端に位置する。第１の端面７１ａは、基板２３の第１の搭載面５１に向き、当該第１の搭載面５１に接触する。なお、第１の端面７１ａは、第１の搭載面５１から離間していても良い。
【００６９】
第２の端面７１ｂは、第１の端面７１ａの反対側に設けられる。第２の端面７１ｂは、−Ｚ方向における筒部７１の端に位置する。第２の端面７１ｂは、突出壁３３の端縁３３ｄに向き、当該端縁３３ｄに接触する。なお、第２の端面７１ｂは、端縁３３ｄから離間していても良い。
【００７０】
筒部７１が略円筒状に形成されることで、筒部７１の内部に挿入孔７５が設けられる。挿入孔７５は、孔の一例である。挿入孔７５は、略Ｚ方向に延び、第１の端面７１ａと第２の端面７１ｂとを連通する。第１の内周面７１ｃ及び第２の内周面７１ｄは、当該挿入孔７５を形成（規定、区画）する。
【００７１】
第１の内周面７１ｃは、第１の端面７１ａに接続され、挿入孔７５のうち第１の端面７１ａの近傍に位置する部分を形成する。図８に示すように、第１の内周面７１ｃは、略四角筒状に形成される。なお、第１の内周面７１ｃは、他の形状に形成されても良い。
【００７２】
図６に示すように、第１の内周面７１ｃにより形成される挿入孔７５の一部に、一つの光源５５が収容される。なお、一つの挿入孔７５に複数の光源５５が収容されても良い。第１の内周面７１ｃにより形成される挿入孔７５の一部は、光源５５よりも大きい空間である。なお、光源５５の少なくとも一部が挿入孔７５の外部に位置しても良い。
【００７３】
第２の内周面７１ｄは、挿入孔７５の一部を形成する。第２の内周面７１ｄは、略円錐状の曲面であり、Ｚ方向に光源５５に近づくに従って狭まる。言い換えると、第２の内周面７１ｄの内径は、Ｚ方向に光源５５に近づくに従って短くなる。なお、第２の内周面７１ｄの内径は、一定であっても良い。
【００７４】
第２の内周面７１ｄは、第１の傾斜面７１ｄａと、第２の傾斜面７１ｄｂとを有する。第１の傾斜面７１ｄａは、第２の端面７１ｂに接続され、挿入孔７５のうち第２の端面７１ｂの近傍に位置する部分を形成する。
【００７５】
第２の傾斜面７１ｄｂは、挿入孔７５の他の一部を形成する。第２の傾斜面７１ｄｂは、第１の傾斜面７１ｄａとＺ方向に並び、第１の傾斜面７１ｄａよりも光源５５に近い。Ｚ方向は、第１の方向の一例である。第２の傾斜面７１ｄｂは、第１の傾斜面７１ｄａと第１の内周面７１ｃとの間に位置する。
【００７６】
挿入孔７５の中心軸Ａｘに対する第１の傾斜面７１ｄａの傾斜角度は、挿入孔７５の中心軸Ａｘに対する第２の傾斜面７１ｄｂの傾斜角度よりも大きい。言い換えると、挿入孔７５が延びるＺ方向に対する第１の傾斜面７１ｄａの傾斜角度は、Ｚ方向に対する第２の傾斜面７１ｄｂの傾斜角度よりも大きい。
【００７７】
挿入部６０の複数の挿入孔７５に、複数の導光パイプ２２が挿入される。具体的には、第２の内周面７１ｄが形成する挿入孔７５の一部に、一つの導光パイプ２２の第２の延部４２が嵌め込まれる。
【００７８】
本実施形態では、一つのホルダ２４に二つの挿入孔７５が設けられる。このため、一つのホルダ２４の二つの挿入孔７５に、二つの導光パイプ２２が嵌め込まれる。なお、一つの挿入孔７５に、複数の導光パイプ２２が収容されても良い。
【００７９】
第２の内周面７１ｄの最小の直径は、導光パイプ２２の直径と同じか、導光パイプ２２の直径よりも長い。導光パイプ２２は、第２の内周面７１ｄに接触していても良いし、第２の内周面７１ｄから離間していても良い。
【００８０】
ストッパ７２が、第１の内周面７１ｃと第２の内周面７１ｄとの間に位置する。ストッパ７２は、第１の内周面７１ｃ（第２の内周面７１ｄ）から、挿入孔７５の内側に突出する。本実施形態において、ストッパ７２は、略円環状に形成される。なお、ストッパ７２の形状は、この例に限られない。
【００８１】
Ｚ方向における第１の端面７１ａとストッパ７２との間の距離は、Ｚ方向における光源５５の長さ（厚さ）よりも長い。このため、ストッパ７２は、光源５５から離間している。なお、ストッパ７２の位置は、この例に限られない。
【００８２】
ストッパ７２に、導光パイプ２２の端面２２ａが当接している。このため、ストッパ７２は、光源５５と、導光パイプ２２の端面２２ａとの間に介在する。ストッパ７２は、端面２２ａに当接することで、導光パイプ２２の端面２２ａが光源５５に近づくことを制限する。
【００８３】
光源５５と、導光パイプ２２の端面２２ａとは、間隔を介して向かい合う。導光パイプ２２の端面２２ａは、ストッパ７２の全周に当接することで向きを調整され、＋Ｚ方向に向く。このため、導光パイプ２２の端面２２ａは、Ｚ方向と略直交する。
【００８４】
外周面７１ｅは、第１の内周面７１ｃ及び第２の内周面７１ｄの反対側に位置する。外周面７１ｅから、フランジ７３が突出する。フランジ７３は、例えば、Ｘ−Ｙ平面上に広がる略矩形状に形成される。
【００８５】
二つの脚部７４は、Ｘ方向におけるフランジ７３の両端から、＋Ｚ方向に突出している。二つの脚部７４の間に、二つの筒部７１が位置する。Ｚ方向において、脚部７４の先端７４ａは、筒部７１の第１の端面７１ａと略同一の位置にある。脚部７４の先端７４ａは、基板２３の第１の搭載面５１に向き、当該第１の搭載面５１に接触する。なお、先端７４ａは、第１の搭載面５１から離間していても良い。
【００８６】
図８に示すように、第１の保持部６１は、二つの第１の爪８０を有する。以下、二つの第１の爪８０を、第１の爪８０Ａ，８０Ｂと個別に称する場合がある。二つの第１の爪８０Ａ，８０Ｂに共通する説明は、第１の爪８０についての説明として記載される。
【００８７】
二つの第１の爪８０は、Ｙ方向におけるフランジ７３の両端から、＋Ｚ方向に突出している。二つの第１の爪８０の間に、二つの筒部７１が位置する。このため、二つの挿入孔７５に収容された二つの光源５５は、二つの第１の爪８０により囲まれている。
【００８８】
二つの第１の爪８０はそれぞれ、二つの第１の柱部８１と、第１の係合部８２と、を有する。第１の柱部８１は、Ｘ方向に互いに離間して、フランジ７３から＋Ｚ方向に突出している。第１の係合部８２は、一方の第１の柱部８１の先端と、他方の第１の柱部８１の先端と、の間でＸ方向に延びている。
【００８９】
二つの第１の爪８０は、第１の柱部８１が弾性変形することで、互いに近付き又は互いに遠ざかるように弾性変形することができる。さらに、第１の爪８０に、二つの第１の柱部８１、第１の係合部８２、及びフランジ７３により形成（規定、区画）された第１の係合孔８５が設けられる。
【００９０】
第１の爪８０Ａの形状と、第１の爪８０Ｂの形状とは、互いに異なる。本実施形態では、第１の爪８０Ａにおける二つの第１の柱部８１の間の距離が、第１の爪８０Ｂにおける二つの第１の柱部８１の間の距離よりも短い。
【００９１】
上記差異により、第１の爪８０Ａの第１の係合孔８５の形状と、第１の爪８０Ｂの第１の係合孔８５の形状と、も互いに異なる。第１の爪８０Ａの第１の係合孔８５は、第１の係合部の一例である。第１の爪８０Ｂの第１の係合孔８５は、第２の係合部の一例である。なお、第１の爪８０はこの例に限られない。
【００９２】
第１の保持部６１は、基板２３を保持する。本実施形態では、第１の爪８０Ａの第１の係合孔８５に、基板２３の凸部５３ｂが嵌め込まれる。さらに、第１の爪８０Ｂの第１の係合孔８５に、凸部５３ｃが嵌め込まれる。これにより、ホルダ２４は、第１の爪８０によって、基板２３に取り付けられる。さらに、基板２３の二つの切欠き５３ａに、第１の爪８０の二つの第１の柱部８１の一部が嵌め込まれても良い。
【００９３】
基板２３の凸部５３ｂは、第１の爪８０Ａの第１の係合孔８５に係合可能である。また、基板２３の凸部５３ｃは、第１の爪８０Ｂの第１の係合孔８５に嵌合可能であるが、第１の爪８０Ａの第１の係合孔８５に係合可能ではない。なお、基板２３の凸部５３ｂは、第１の爪８０Ｂの第１の係合孔８５に係合可能であっても良い。
【００９４】
例えば、Ｘ方向において、基板２３の凸部５３ｃの幅は、第１の爪８０Ｂの第１の係合孔８５の幅と同じかより小さいが、第１の爪８０Ａの第１の係合孔８５の幅よりも大きい。なお、凸部５３ｂ，５３ｃ及び第１の係合孔８５は、この例に限られない。
【００９５】
図６に示すように、第１の保持部６１が基板２３を保持すると、光源５５が挿入孔７５に収容される。光源５５と、挿入孔７５に嵌め込まれた導光パイプ２２の端面２２ａとは向かい合う。すなわち、ホルダ２４の第１の保持部６１は、導光パイプ２２の端面２２ａと光源５５とが向かい合うように、基板２３を保持する。
【００９６】
図７に示すように、第２の保持部６２は、二つの第２の爪９０を有する。第２の爪９０は、壁の一例である。二つの第２の爪９０は、Ｘ方向におけるフランジ７３の両端から、−Ｚ方向に突出している。二つの第２の爪９０の間に、二つの筒部７１が位置する。このため、二つの筒部７１に嵌め込まれた二つの導光パイプ２２は、二つの第２の爪９０により囲まれている。
【００９７】
二つの第２の爪９０はそれぞれ、二つの第２の柱部９１と、第２の係合部９２と、を有する。第２の柱部９１は、Ｙ方向に互いに離間して、フランジ７３から−Ｚ方向に突出している。第２の係合部９２は、一方の第２の柱部９１の先端と、他方の第２の柱部９１の先端と、の間でＹ方向に延びている。
【００９８】
二つの第２の爪９０は、第２の柱部９１が弾性変形することで、互いに近付き又は互いに遠ざかるように弾性変形することができる。さらに、第２の爪９０に、二つの第２の柱部９１、第２の係合部９２、及びフランジ７３により形成（規定、区画）された第２の係合孔９５が設けられる。
【００９９】
図６に示すように、第２の係合部９２に、ガイド面９２ａが設けられる。ガイド面９２ａは、二つの筒部７１に嵌め込まれた二つの導光パイプ２２に向くとともに、Ｚ方向に光源５５に近づくに従って狭まる。言い換えると、二つの第２の爪９０のガイド面９２ａの間の距離は、Ｚ方向に光源５５に近づくに従って短くなる。なお、ガイド面９２ａは、この例に限られない。
【０１００】
Ｘ方向において、ガイド面９２ａの幅は、筒部７１の第２の内周面７１ｄの幅よりも大きい。Ｘ方向におけるガイド面９２ａの幅は、Ｘ方向において、ガイド面９２ａのうち他方の第２の爪９０に最も近い位置と、ガイド面９２ａのうち他方の第２の爪９０から最も遠い位置と、の間の距離である。また、Ｘ方向におけるガイド面９２ａの幅は、Ｚ方向において光源５５に最も近い位置と、Ｚ方向において光源５５から最も遠い位置と、の間のＸ方向における距離でもある。Ｘ方向における第２の内周面７１ｄの幅は、第２の内周面７１ｄの最大の半径と最小の半径との差である。
【０１０１】
挿入孔７５の中心軸Ａｘに対するガイド面９２ａの傾斜角度は、挿入孔７５の中心軸Ａｘに対する第１の傾斜面７１ｄａの傾斜角度よりも小さい。言い換えると、挿入孔７５が延びるＺ方向に対するガイド面９２ａの傾斜角度は、Ｚ方向に対する第１の傾斜面７１ｄａの傾斜角度よりも小さい。
【０１０２】
第２の保持部６２と拡散部材２１とは互いを保持する。本実施形態では、第２の爪９０の第２の係合孔９５に、拡散部材２１の突起３３ｃが嵌め込まれる。これにより、ホルダ２４は、第２の爪９０によって、拡散部材２１に取り付けられる。また、ホルダ２４は、拡散部材２１を介して筐体１１に取り付けられる。
【０１０３】
具体的には、拡散部材２１の突起３３ｃは、第２の爪９０の第２の係合部９２に接触し又は近接する。これにより、突起３３ｃは、ホルダ２４が拡散部材２１に対し＋Ｚ方向に移動（離間）することを制限する。
【０１０４】
さらに、拡散部材２１の突出壁３３の端縁３３ｄと、中間壁３４の先端と、が筒部７１の第２の端面７１ｂに接触し又は近接する。これにより、端縁３３ｄ及び中間壁３４は、ホルダ２４が拡散部材２１に対し−Ｚ方向に移動（接近）することを制限する。
【０１０５】
さらに、突起３３ｃは、第２の爪９０の二つの第２の柱部９１の間に位置する。これにより、突起３３ｃは、ホルダ２４が拡散部材２１に対してＹ方向に移動することを制限する。
【０１０６】
図９は、本実施形態のフロントカバー１５の一部を示す斜視図である。図１０は、本実施形態のフロントカバー１５の他の一部を示す斜視図である。図９及び図１０に示すように、フロントカバー１５は、二つの凸部１００をさらに有する。
【０１０７】
以下、二つの凸部１００を、凸部１００Ａ，１００Ｂと個別に称する場合がある。二つの凸部１００Ａ，１００Ｂに共通する説明は、凸部１００についての説明として記載される。凸部１００Ａは、第５の係合部の一例である。凸部１００Ｂは、第６の係合部の一例である。
【０１０８】
二つの凸部１００はそれぞれ、フロントカバー１５の内面１５ｂから略＋Ｚ方向に突出する。凸部１００Ａは、一方の第１の辺部２１ａの近傍に位置する。凸部１００Ｂは、他方の第１の辺部２１ａの近傍に位置する。
【０１０９】
第２の爪９０によりホルダ２４が拡散部材２１に取り付けられると、凸部１００がホルダ２４の第１の係合孔８５に嵌め込まれる。これにより、凸部１００は、ホルダ２４がフロントカバー１５に対してＸ方向に移動することを制限する。
【０１１０】
凸部１００Ａは、第１の爪８０Ａの第１の係合孔８５に係合可能である。また、凸部１００Ｂは、第１の爪８０Ｂの第１の係合孔８５に嵌合可能であるが、第１の爪８０Ａの第１の係合孔８５に係合可能ではない。なお、凸部１００Ａは、第１の爪８０Ｂの第１の係合孔８５に係合可能であっても良い。
【０１１１】
例えば、Ｘ方向において、凸部１００Ｂの幅は、第１の爪８０Ｂの第１の係合孔８５の幅と同じかより小さいが、第１の爪８０Ａの第１の係合孔８５の幅よりも大きい。なお、凸部１００及び第１の係合孔８５は、この例に限られない。
【０１１２】
以上のＰＣ１０において、光源５５から出射した光が、導光パイプ２２の一方の端面２２ａに入射する。導光パイプ２２は、当該光を、部分的に他方の端面２２ａへ伝えるとともに、部分的に外周面２２ｂから出射する。このため、導光パイプ２２は、光源５５により発光させられる。
【０１１３】
本実施形態において、導光パイプ２２の一方の端面２２ａが一つの光源５５から光を受け、他方の端面２２ａが他の一つの光源５５から光を受ける。このため、導光パイプ２２は、一方の端面２２ａから他方の端面２２ａに亘って略均一に光ることができる。
【０１１４】
筒部７１は、一つの導光パイプ２２及び一つの光源５５を囲む。このため、筒部７１は、導光パイプ２２の一方の端面２２ａに、一つの光源５５から出射された光が入射することを許容するが、当該光源５５に隣接する他の光源５５から出射された光が入射することを防ぐ。
【０１１５】
導光パイプ２２は、拡散部材２１の収容溝３５に収容される。導光パイプ２２の外周面２２ｂから出射した光は、拡散部材２１に入射する。拡散部材２１は、導光パイプ２２から出射した光を拡散させ、当該光により発光する。これにより、筐体１１の外部に露出した拡散部材２１の外面３１ａが発光し、ＰＣ１０の見た目が向上する。外面３１ａは、連続したシームレスの環状に形成されており、略均一に光ることができる。
【０１１６】
導光パイプ２２の曲部４３は、少なくとも部分的に拡散部材２１から離間している。しかし、導光パイプ２２のうち、曲部４３のような曲げられた部分は、第１の延部４１及び第２の延部４２のような略直線状の部分よりも強く発光する。このため、曲部４３から出射した光は、曲部４３と拡散部材２１との間の空間で減衰したとしても、第１の延部４１及び第２の延部４２と略同等に拡散部材２１を発光させる。
【０１１７】
ＰＣ１０は、一つの導光パイプ２２に面する二つの光源５５から、色が異なる光を出射させても良い。これにより、拡散部材２１の外面３１ａの色がグラデーションを持つことができる。また、ＰＣ１０は、光源５５から出射する光の色を経時的に変化させても良い。
【０１１８】
以下、ＰＣ１０の製造方法の一部として、フロントカバー１５、拡散部材２１、導光パイプ２２、基板２３、及びホルダ２４の組立方法について例示する。なお、ＰＣ１０の製造方法は以下の方法に限らず、手順の前後が入れ替えられても良いし、他の方法を用いても良い。まず、拡散部材２１の収容溝３５に、二つの導光パイプ２２が収容される。
【０１１９】
例えば、導光パイプ２２の第２の延部４２が、突出壁３３の端縁３３ｄから＋Ｚ方向に突出する。Ｚ方向における二つの導光パイプ２２の端面２２ａの位置は、大よそ同一に調整されるが、厳密に同一に調整されなくても良い。すなわち、Ｚ方向における二つの導光パイプ２２の端面２２ａの位置は、互いに異なっていても良い。
【０１２０】
次に、拡散部材２１が、フロントカバー１５の取付溝１６に嵌め込まれる。この際、拡散部材２１の突出壁３３及び中間壁３４と、導光パイプ２２の第２の延部４２及び曲部４３とが、挿通孔１８を通る。
【０１２１】
次に、基板２３がホルダ２４に取り付けられる。例えば、基板２３は、第１の爪８０を弾性変形させながら、二つの第１の爪８０の間に挿入される。基板２３の凸部５３ｂ，５３ｃが第１の爪８０Ａ，８０Ｂの第１の係合孔８５に挿入されることで、基板２３がホルダ２４に固定され、基板２３に搭載された光源５５がホルダ２４の挿入孔７５に収容される。
【０１２２】
基板２３の凸部５３ｂが第１の爪８０Ａの第１の係合孔８５に挿入され、凸部５３ｃが第１の爪８０Ｂの第１の係合孔８５に挿入される。基板２３が所望の姿勢と反対の姿勢であった場合、凸部５３ｃが第１の爪８０Ａの第１の柱部８１に干渉する。これにより、基板２３が所望の姿勢でホルダ２４に取付られる。
【０１２３】
次に、二つの導光パイプ２２の第２の延部４２が、ホルダ２４の二つの第２の爪９０の間に挿入される。例えば、二つの導光パイプ２２は、弾性の復元力により、互いに異なる方向を向いたり、互いに離間したりする場合がある。
【０１２４】
例えば、導光パイプ２２は、第２の爪９０のガイド面９２ａに接触させられる。ホルダ２４が拡散部材２１に近づくように移動すると、傾斜した二つのガイド面９２ａが、二つの導光パイプ２２を互いに近づけさせるとともに、Ｘ方向において二つの導光パイプ２２の端面２２ａを挿入孔７５に近づける。このように、ガイド面９２ａは、二つの導光パイプ２２を大まかに束ね、所望の位置へガイドする。
【０１２５】
次に、ホルダ２４が拡散部材２１にさらに近づくように移動させられ、導光パイプ２２がホルダ２４の挿入孔７５に挿入される。例えば、導光パイプ２２は、第１の傾斜面７１ｄａに接触させられる。ホルダ２４が拡散部材２１に近づくように移動すると、傾斜した第１の傾斜面７１ｄａ及び第２の傾斜面７１ｄｂが順に、導光パイプ２２の端面２２ａの中心を、挿入孔７５の中心軸Ａｘに近づける。このように、第１の傾斜面７１ｄａ及び第２の傾斜面７１ｄｂは、導光パイプ２２を所望の位置へガイドする。
【０１２６】
ホルダ２４が拡散部材２１に近づく間、拡散部材２１の突起３３ｃが第２の爪９０のガイド面９２ａに接触する。ホルダ２４が拡散部材２１にさらに近づくと、突起３３ｃが二つの第２の爪９０を互いに遠ざかるように弾性変形させ、第２の爪９０の第２の係合部９２を乗り越える。これにより、突起３３ｃが第２の爪９０の第２の係合孔９５に挿入される。これにより、ホルダ２４が拡散部材２１に固定される。
【０１２７】
ホルダ２４が拡散部材２１に近づく間、導光パイプ２２の端面２２ａが、挿入孔７５の内部でストッパ７２に当接する。ホルダ２４が拡散部材２１にさらに近づくと、ストッパ７２が端面２２ａを押す。
【０１２８】
図４に示すように、導光パイプ２２の曲部４３の外周側の端４３ｂは、拡散部材２１から離間している。このため、拡散部材２１の収容溝３５には、ストッパ７２に押された導光パイプ２２の曲部４３が収容溝３５の底面３５ａに近づくことが可能な空間的余裕が存在する。ストッパ７２に押された導光パイプ２２の曲部４３は、例えば、収容溝３５の内部で底面３５ａに近づくとともに曲率を減少させる。
【０１２９】
上記の曲部４３の移動及び変形により、ホルダ２４は、導光パイプ２２に妨げられることなく、拡散部材２１に取り付けられる位置まで移動することができる。さらに、曲部４３の復元力により、導光パイプ２２は、端面２２ａをストッパ７２に押し付ける。これにより、導光パイプ２２の端面２２ａは、ストッパ７２の全周に略均一に接触し、光源５５から光が出射される−Ｚ方向と直交する状態に保たれる。
【０１３０】
上述のように、ホルダ２４が拡散部材２１に取り付けられる前、Ｚ方向における二つの導光パイプ２２の端面２２ａの位置が、互いに異なることがある。この場合、二つの導光パイプ２２の曲部４３が互いに異なる曲率で収容溝３５の内部で曲がる。これにより、ホルダ２４が拡散部材２１に取り付けられると、Ｚ方向における二つの導光パイプ２２の端面２２ａの位置が略同一に揃う。
【０１３１】
ホルダ２４が拡散部材２１に取り付けられる際、フロントカバー１５の凸部１００Ａが第１の爪８０Ａの第１の係合孔８５に挿入され、凸部１００Ｂが第１の爪８０Ｂの第１の係合孔８５に挿入される。ホルダ２４が所望の姿勢と反対の姿勢であった場合、凸部１００Ｂが第１の爪８０Ａの第１の柱部８１に干渉する。これにより、ホルダ２４が所望の姿勢で拡散部材２１及びフロントカバー１５に取り付けられる。
【０１３２】
次に、基板２３が、ケーブル５７を介してドーターボードのような回路基板に電気的に接続される。以上により、フロントカバー１５、拡散部材２１、導光パイプ２２、基板２３、及びホルダ２４の組立が完了する。
【０１３３】
以上のように、ＰＣ１０（電子機器）は、光源５５が搭載された基板２３と、それぞれが端面２２ａ（受光面）を有し、光源５５から端面２２ａに入射した光を伝える、可撓性の複数の導光パイプ２２（導光管）と、挿入孔７５（孔）が設けられ、挿入孔７５に嵌め込まれた複数の導光パイプ２２の端面２２ａと光源５５とが向かい合うように基板２３を保持するホルダ２４と、を備える。このような構成によれば、光源５５に対する可撓性の複数の導光パイプ２２の位置決めが容易となり、ＰＣ１０の組立が容易となる。
【０１３４】
また、ＰＣ１０では、ホルダ２４は、端面２２ａに当接し、端面２２ａが光源５５に近付くことを制限するストッパ７２を有する。このような構成によれば、光源５５と端面２２ａとの間の距離を所望の距離に保つことが可能となる。従って、複数の導光パイプ２２の長さが互いに異なっても、光源５５と端面２２ａとの間の距離を所望の距離に設定することが可能となり、ＰＣ１０の組立が容易となる。さらに、複数の導光パイプ２２に入射する光が略均一となり、ＰＣ１０の見た目が向上する。
【０１３５】
また、ＰＣ１０は、複数の導光パイプ２２が収容される収容溝３５（溝）が設けられ、複数の導光パイプ２２から出射した光を拡散する拡散部材２１、をさらに備え、複数の導光パイプ２２はそれぞれ、収容溝３５の内部で円弧状に曲げられた曲部４３を有し、曲部４３の復元力により端面２２ａをストッパ７２に押し付け、曲部４３の内周側及び外周側の端４３ａ，４３ｂが、拡散部材２１から少なくとも部分的に離間する。このような構成によれば、導光パイプ２２の長さに応じた曲率で曲部４３が曲げられることができる。従って、複数の導光パイプ２２の長さが互いに異なっても、光源５５と端面２２ａとの間の距離を所望の距離に設定することが可能となり、ＰＣ１０の組立が容易となる。さらに、光源５５と端面２２ａとの間の距離を所望の距離に保つことが可能となるとともに、端面２２ａの向きを所望の向きに保つことが可能となる。
【０１３６】
また、ＰＣ１０では、ホルダ２４は、複数の導光パイプ２２を囲む第２の爪９０（壁）と、第２の爪９０に設けられるとともに端面２２ａと直交するＺ方向（第１の方向）に光源５５に近づくに従って狭まるガイド面９２ａと、を有し、第２の爪９０により拡散部材２１に取り付けられる。このような構成によれば、複数の導光パイプ２２が挿入孔７５に挿入される際に、ガイド面９２ａが当該複数の導光パイプ２２を挿入孔７５に近づくようにガイドすることができる。さらに、ガイド面９２ａにより複数の導光パイプ２２をガイドした第２の爪９０を拡散部材２１に取り付けることで、導光パイプ２２へのホルダ２４の取り付けが行われる。従って、ＰＣ１０の組立が容易となる。さらに、第２の爪９０が、複数の導光パイプ２２をガイドする部分と、ホルダ２４を導光パイプ２２へ取り付ける部分と、を兼ねるため、ホルダ２４を小型化することが可能となる。
【０１３７】
また、ＰＣ１０では、ホルダ２４は、挿入孔７５の少なくとも一部を形成する第２の内周面７１ｄ（内面）を有し、第２の内周面７１ｄは、Ｚ方向に光源５５に近づくに従って狭まる。このような構成によれば、比較的広い入口から挿入孔７５に挿入された導光パイプ２２が、Ｚ方向に光源５５に近づくに従って、Ｚ方向と直交する方向における所望の位置へとガイドされる。従って、光源５５に対して導光パイプ２２の端面２２ａを所望の位置に配置することが可能となる。さらに、入口が比較的広くなるため、挿入孔７５に導光パイプ２２を挿入することが容易となる。
【０１３８】
また、ＰＣ１０では、第２の内周面７１ｄは、挿入孔７５の一部を形成する第１の傾斜面７１ｄａと、挿入孔７５の他の一部を形成し、第１の傾斜面７１ｄａとＺ方向に並び、第１の傾斜面７１ｄａよりも光源５５に近い、第２の傾斜面７１ｄｂと、を有し、挿入孔７５の中心軸Ａｘに対する第１の傾斜面７１ｄａの傾斜角度は、挿入孔７５の中心軸Ａｘに対する第２の傾斜面７１ｄｂの傾斜角度よりも大きい。このような構成によれば、挿入孔７５の入口を広く設定することが可能となるとともに、Ｚ方向と直交する方向において導光パイプ２２を滑らかに所望の位置へガイドすることが可能となる。
【０１３９】
また、ＰＣ１０では、Ｚ方向と直交するＸ方向（第２の方向）において、ガイド面９２ａの幅は、第２の内周面７１ｄの幅よりも大きい。このような構成によれば、複数の導光パイプ２２は、Ｚ方向と直交する方向においてより広いガイド面９２ａにより、挿入孔７５に近づくようにガイドされる。その後、挿入孔７５に挿入された導光パイプ２２は、光源５５に対する所望の位置へ第２の内周面７１ｄによってガイドされる。従って、ガイド面９２ａは、複数の導光パイプ２２を滑らかに光源５５に対する所望の位置へガイドすることができる。
【０１４０】
また、ＰＣ１０では、挿入孔７５の中心軸Ａｘに対するガイド面９２ａの傾斜角度は、挿入孔７５の中心軸Ａｘに対する第１の傾斜面７１ｄａの傾斜角度よりも小さい。このような構成によれば、挿入孔７５の中心軸Ａｘに対するガイド面９２ａの傾斜角度は小さく、且つＺ方向におけるガイド面９２ａの長さは長く設定される。これにより、ガイド面９２ａが複数の導光パイプ２２を滑らかに挿入孔７５に近づくようにガイドすることができる。
【０１４１】
また、ＰＣ１０では、ホルダ２４は、第１の爪８０Ａの第１の係合孔８５（第１の係合部）と、第１の爪８０Ｂの第１の係合孔８５（第２の係合部）と、を有し、基板２３は、第１の爪８０Ａの第１の係合孔８５に係合可能な凸部５３ｂ（第３の係合部）と、第１の爪８０Ｂの第１の係合孔８５に係合可能であるとともに第１の爪８０Ａの第１の係合孔８５に係合可能でない凸部５３ｃ（第４の係合部）と、を有する。このような構成によれば、ホルダ２４への基板２３の取付時に、間違って凸部５３ｃを第１の爪８０Ａの第１の係合孔８５に係合させることが抑制される。従って、基板２３がホルダ２４に対して所望の姿勢で取り付けられ、光源５５と、所望の導光パイプ２２の端面２２ａと、が向き合うことが可能となる。
【０１４２】
また、ＰＣ１０は、基板２３、複数の導光パイプ２２、及びホルダ２４を収容する筐体１１、をさらに備え、筐体１１は、第１の爪８０Ａの第１の係合孔８５に係合可能な凸部１００Ａ（第５の係合部）と、第１の爪８０Ｂの第１の係合孔８５に係合可能であるとともに第１の爪８０Ａの第１の係合孔８５に係合可能でない凸部１００Ｂ（第６の係合部）と、を有する。このような構成によれば、筐体１１へのホルダ２４の取付時に、間違って凸部１００Ｂを第１の爪８０Ａの第１の係合孔８５に係合させることが抑制される。従って、ホルダ２４が筐体１１に対して所望の姿勢で取り付けられ、筐体１１の所望の位置に、所望の発光をする光源５５から光を受光する導光パイプ２２を配置することが可能となる。
【０１４３】
ホルダ２４は、可撓性の複数の導光パイプ２２（導光管）が挿入される挿入孔７５（孔）が設けられた、挿入部６０と、光源５５と複数の導光パイプ２２の端面２２ａ（受光面）とが向かい合うように、光源５５が搭載された基板２３を保持する、第１の保持部６１（保持部）と、を有する。このような構成によれば、光源５５に対する可撓性の複数の導光パイプ２２の位置決めが容易となる。
【０１４４】
以上説明された実施形態において、一つの光源５５と一つの導光パイプ２２の端面２２ａとが向かい合う。しかし、例えば、一つの光源５５と複数の導光パイプ２２の端面２２ａとが向かい合っても良い。
【０１４５】
また、ホルダ２４は、弾性変形を伴って拡散部材２１及び基板２３に取り付けられる第１の爪８０及び第２の爪９０を有する。しかし、拡散部材２１及び基板２３が、弾性変形を伴ってホルダ２４に取り付けられる部分を有しても良い。
【０１４６】
また、基板２３の凸部５３ｂ，５３ｃと、筐体１１の凸部１００Ａ，１００Ｂとが、第１の爪８０の第１の係合孔８５に挿入される。しかし、ホルダ２４に凸部が設けられ、基板２３及び筐体１１に当該凸部が挿入される孔又は切欠きが設けられても良い。
【０１４７】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【０１４８】
１０…パーソナルコンピュータ（電子機器）、１１…筐体、２１…拡散部材、２２…導光パイプ（導光管）、２２ａ…端面（受光面）、２３…基板、２４…ホルダ、４３…曲部、４３ａ…内周側の端、４３ｂ…外周側の端、５３ｂ…凸部（第３の係合部）、５３ｃ…凸部（第４の係合部）、５５…光源、６０…挿入部、６１…第１の保持部（保持部）、７１ｄ…第２の内周面（内面）、７１ｄａ…第１の傾斜面、７１ｄｂ…第２の傾斜面、７２…ストッパ、７５…挿入孔（孔）、８５…第１の係合孔（第１の係合部、第２の係合部）、９０…第２の爪（壁）、９２ａ…ガイド面、１００Ａ…凸部（第５の係合部）、１００Ｂ…凸部（第６の係合部）、Ａｘ…中心軸。
【要約】      （修正有）【課題】光源に対する可撓性の複数の導光管の位置決めが容易な電子機器及びホルダを提供する。【解決手段】電子機器において、、光源５５が搭載された基板２３と、それぞれが受光面２２ａを有し、光源５５から受光面２２ａに入射した光を伝える、可撓性の複数の導光管２２と、孔１８が設けられたフロントカバー１５と、孔１８に嵌め込まれた複数の導光管２２の受光面２２ａと光源５５とが向かい合うように基板２３を保持するホルダ２４と、を備える。【選択図】図４【図１】
0006788209.tif 000002
【図２】
0006788209.tif 000003
【図３】
0006788209.tif 000004
【図４】
0006788209.tif 000005
【図５】
0006788209.tif 000006
【図６】
0006788209.tif 000007
【図７】
0006788209.tif 000008
【図８】
0006788209.tif 000009
【図９】
0006788209.tif 000010
【図１０】
0006788209.tif 000011